(57)【要約】【課題】  ビデオカメラにおける動画のインターバル記録と同期して、外部記録装置でも同じ動画がインターバル記録されるようにする。【解決手段】  ビデオカメラ（１００）は、撮像部（１０１）による動画データと、タイムコード生成部（１１１）により生成されるタイムコードを、通信部（１１０）を介してビデオカメラ（２００）に供給する。インターバル記録モードでは、ビデオカメラ（１００）の制御部（１０６）は、インターバル記録による記録媒体（１０９）への動画記録の開始に同期して、通信部（１１０）からレコーダ（２００）に記録開始コマンドを出力させ、記録媒体（１０９）への動画記録の開停止に同期して、通信部（１１０）からレコーダ（２００）に記録停止コマンドを出力させる。【選択図】  図１
2011244293.tif 000002
【特許請求の範囲】
【請求項１】
動画データを入力する入力手段と、
前記入力手段により入力された動画データを記録媒体に記録する記録手段と、
前記入力手段により入力された動画データを外部記録装置に出力する出力手段と、
インターバル記録モードにおいて、所定の記録停止期間おきにｎ（ｎは１以上の整数）フレームの前記動画データを記録するように前記記録手段を制御する制御手段
とを備え、
前記制御手段は、前記インターバル記録モードにおける前記ｎフレームの動画データの記録開始に応じて前記外部記録装置に記録開始コマンドを出力し、前記インターバル記録モードにおける前記ｎフレームの動画データの記録停止に応じて前記外部記録装置に記録停止コマンドを出力するように前記出力手段を制御する
ことを特徴とする画像処理装置。
【請求項２】
更に、動画データの記録開始の指示と記録停止の指示とを出力する指示手段を備え、
前記制御手段は、前記指示手段からの記録開始の指示に応じて前記出力手段により前記外部記録装置に記録開始コマンドを出力させると共に前記インターバル記録モードにおける動画データの記録を前記記録手段に開始させ、前記指示手段からの記録停止の指示に応じて前記出力手段により前記外部記録装置に記録停止コマンドを出力させると共に前記インターバル記録モードにおける動画データの記録を前記記録手段に停止させる
ことを特徴とする請求項１に記載の画像処理装置。
【請求項３】
前記制御手段は更に、前記インターバル記録モードにおける前記ｎフレームの動画データの記録開始に応じて前記外部記録装置に記録開始のコマンドを出力し、前記インターバル記録モードにおける前記ｎフレームの動画データの記録停止に応じて前記外部記録装置に対して記録停止コマンドを出力するモードと、前記指示手段からの記録開始の指示に応じて前記外部記録装置に記録開始のコマンドを出力した後、前記指示手段からの記録停止の指示に応じて前記外部記録装置に記録停止のコマンドを出力するまでの間、前記外部記録装置への前記記録開始のコマンドと前記記録停止のコマンドの出力を停止するモードとを有することを特徴とする請求項２に記載の画像処理装置。
【請求項４】
前記出力手段は、前記外部記録装置に前記記録開始のコマンドを出力してから前記記録停止のコマンドを出力するまでの間、前記動画データと共にタイムコードを前記外部記録装置に出力することを特徴とする請求項１から３の何れか１項に記載の画像処理装置。
【発明の詳細な説明】
【技術分野】
【０００１】
本発明は画像処理装置に関し、特に、外部に対して動画を出力する画像処理装置に関する。
【背景技術】
【０００２】
【先行技術文献】
【特許文献】
【０００３】
【特許文献１】特開２００２−２３２８２１号公報
【０００４】
従来、動画像を撮影して記録媒体に記録するビデオカメラが知られている。また、撮影した動画像を装置外部の記録装置に出力し、外部の記録装置で動画像を記録するシステムも提案されている（例えば、特許文献１参照）。この従来技術では、記録開始の指示に応じて動画像の記録を開始すると共に、外部装置に対しても記録開始を指示する。また、記録停止の指示に応じて動画像の記録を停止すると共に、外部装置に対しても記録停止を指示する。このように構成することで、ビデオカメラにおける記録の開始／停止に同期して、外部の記録装置においても動画像の記録を開始／停止させることができる。これにより、ビデオカメラで撮影した動画像と同じ動画像を外部の記録装置に記録させることができる。
【０００５】
また、ビデオカメラの機能として、決められた期間毎に所定数のフレームの動画を繰り返し撮影するインターバル撮影が知られている。
【発明の概要】
【発明が解決しようとする課題】
【０００６】
従来例では、ユーザによる記録の開始／停止の指示に応じて外部の記録装置に記録の開始／停止を指示しているだけである。つまり、ビデオカメラがインターバル撮影モードになっている場合でも、記録開始／停止時にユーザの操作があったときにのみ、外部の記録装置に相応の指示が出力される。そのため、外部の記録装置は、インターバル撮影のための記録停止／開始には同期しない。この結果、外部の記録装置で記録される動画は、ビデオカメラにおいてインターバル撮影で記録される動画とは異なるものになってしまう。
【０００７】
本発明は、この様な問題を解決する画像処理装置を提示することを目的とする。
【課題を解決するための手段】
【０００８】
本発明に係る画像処理装置は、動画データを入力する入力手段と、前記入力手段により入力された動画データを記録媒体に記録する記録手段と、前記入力手段により入力された動画データを外部記録装置に出力する出力手段と、インターバル記録モードにおいて、所定の記録停止期間おきにｎ（ｎは１以上の整数）フレームの前記動画データを記録するように前記記録手段を制御する制御手段とを備え、前記制御手段は、前記インターバル記録モードにおける前記ｎフレームの動画データの記録開始に応じて前記外部記録装置に記録開始コマンドを出力し、前記インターバル記録モードにおける前記ｎフレームの動画データの記録停止に応じて前記外部記録装置に記録停止コマンドを出力するように前記出力手段を制御することを特徴とする。
【発明の効果】
【０００９】
本発明によれば、インターバル記録モードでの記録の開始／停止に同期して、外部記録装置での動画記録を開始／停止させることができる。
【図面の簡単な説明】
【００１０】
【図１】本発明の一実施例の概略構成図である。
【図２】インターバル記録モードのフローチャートである。
【図３】インターバル連動モードのフローチャートである。
【図４】連続モードのフローチャートである。
【図５】インターバル記録モードでのビデオカメラとレコーダの動作関係を示す模式図である。
【図６】インターバル記録モードでのビデオカメラとレコーダの動作関係とタイムコードを説明する図である。
【発明を実施するための形態】
【００１１】
以下、図面を参照して、本発明の実施例を詳細に説明する。
【実施例１】
【００１２】
図１は、本発明に係る画像処理装置の一実施例を組み込んだビデオカメラ１００と、外部記録装置としてのレコーダ２００の概略構成ブロック図を示す。ビデオカメラ１００とレコーダ２００は、ケーブル３００により接続している。ビデオカメラ１００で撮影された動画データは、ケーブル３００を介してレコーダ２００に供給される。レコーダ２００は、ケーブル３００からの動画データを記録する。
【００１３】
ビデオカメラ１００の構成と基本機能を説明する。撮像部１０１は、動画データを入力する入力手段として機能し、被写体を撮影して動画データを出力する。信号処理部１０２は、記録時に撮像部１０１により得られた動画データに所定の処理を施すと共に、ＭＰＥＧ方式に従って符号化する。信号処理部１０２は、再生時には、再生動画データを復号する。表示制御部１０３は、撮影時には撮像部１０１により得られた動画データに係る画像を表示部１０４に表示し、再生時には再生動画データに係る画像を表示する。また、表示制御部１０３は、メニュー画面等の各種の情報を表示部１０４に表示する。
【００１４】
メモリ１０５は、撮像部１０１により得られた動画データ、及び符号化された動画データを記憶する。また、メモリ１０５は、記録媒体１０９における管理情報等の情報も記憶する。制御部１０６はマイクロコンピュータを有し、プログラムに従ってビデオカメラ１００の各部を制御する。操作部１０７は、電源スイッチ、撮影開始／停止の指示スイッチ、撮影モードと再生モードを切り替えるためのモードスイッチ、及びメニュー画面を操作するためのスイッチ等を備える。制御部１０６は、操作部１０７からの指示に応じて各部を制御する。
【００１５】
記録媒体制御部１０８は、記録媒体１０９に動画データを記録し、また、記録媒体１０９から動画データを再生する。記録媒体１０９は、フラッシュメモリカード等のランダムアクセスの記録媒体である。記録媒体１０９は、不図示の装着排出機構によりビデオカメラ１００に着脱自在である。記録媒体制御部１０８は、ＦＡＴファイルシステム等の公知のファイルシステムに従い、記録媒体１０９に記録する各種のデータをファイルとして管理する。
【００１６】
通信部１１０は、撮像部１０１により得られた動画データ、及び、再生された動画データを外部に出力する。通信部１１０は、ＳＤＩ（Serial Digital Interface）方式に従って動画データを外部に出力すると共に、外部機器に記録の開始指示及び停止指示等のコマンドを出力する。タイムコード生成部１１１は、記録媒体１０９に記録する動画データに対してフレーム毎に付加される時間情報としてのタイムコードを生成する。データバス１１２は、各部の間でデータやコマンドを送受信する。
【００１７】
通常撮影時の動作を説明する。操作部１０７により電源が投入されると、撮像部１０１により得られた動画データは、データバス１１２を介して表示制御部１０３に出力される。表示制御部１０３は、撮像部１０１からの動画データに係る動画像を表示部１０４に表示する。撮像部１０１は、毎秒３０フレームの動画データを出力する。この段階では、記録ポーズ状態にある。
【００１８】
記録ポーズ状態で、操作部１０７により記録開始の指示があると、撮像部１０１から出力された動画データがメモリ１０５に送られ、一時記憶される。メモリ１０５に記憶された動画像データは、信号処理部１０２における符号化処理に適した順序で読み出される。信号処理部１０２は、ＭＰＥＧ方式に従ってメモリ１０５から読み出した動画データを符号化し、再度、符号化動画データをメモリ１０５に記憶する。制御部１０６は、各種の制御情報などをメモリ１０５に記憶し、符号化動画データに多重する。これにより、ストリームデータが生成される。
【００１９】
ＭＰＥＧでは、動画データをフレーム内符号化、前方予測フレーム間動き補償予測符号化及び双方向予測フレーム間動き補償予測符号化の三種類の符号化方式を選択的に用いて符号化する。符号化された動画データは、ＩスライスのみからなるＩピクチャ、ＢスライスのみからなるＢピクチャ、及び、ＰスライスのみからなるＰピクチャの三種類で構成されている。また、動画データは、１フレームのＩピクチャと所定数のＰ，ＢピクチャからなるＧＯＰ（Group Of Pictures）を単位として符号化される。
【００２０】
タイムコード生成部１１１は、記録開始の指示に応じて、記録開始からの経過時間を示すタイムコードのカウントを開始する。タイムコード生成部１１１は、１フレーム毎にタイムコード値をカウントアップし、「時：分：秒：フレーム」を示すタイムコードを生成し、メモリ１０５に出力する。制御部１０６は、符号化された各フレームにタイムコードを付加する。記録媒体制御部１０８は、メモリ１０５に所定量のストリームデータが蓄積されると、メモリ１０５からそのストリームデータを読み出し、記録媒体１０９に記録する。
【００２１】
これ以降、記録停止の指示があるまでの間、同様の処理を継続する。
【００２２】
記録停止の指示があると、記録媒体１０９に対するデータの記録を停止する。本実施例では、記録開始の指示から記録停止の指示までの間に記録媒体１０９に記録された一連のシーンのデータを、一つの動画ファイルとして管理する。
【００２３】
再生時の動作を説明する。本実施例では、記録媒体１０９に記録された各シーンの代表画像の一覧を示すインデックス画面を表示し、これら代表画面から所望のシーンを選択する。制御部１０６は、操作部１０７から再生モードへの切り替え指示があると、後述の様にインデックス画面を表示部１０４に表示させる。ユーザは操作部１０７を操作して、表示部１０４に表示された代表画像のうち、所望のクリップの代表画像を選択する。
【００２４】
制御部１０６は、記録媒体１０９に記録された管理情報に基づいて記録媒体制御部１０８を制御し、ユーザが選択した代表画像に対応するシーンのファイルを再生する。
【００２５】
再生されたストリームファイル中のストリームデータは、一旦、メモリ１０５に蓄積される。信号処理部１０２は、メモリ１０５から動画データを読み出して復号し、メモリ１０５に送る。通信部１１０が、メモリ１０５に記憶された動画データを外部モニタなどの表示形態に適用した形態に変換して出力する。表示制御部１０３は、インデックス画面に代えて、メモリ１０５に記憶された動画データに係る動画像を表示部１０４に表示する。
【００２６】
レコーダ２００に対する動画データの出力処理を説明する。記録ポーズ状態において、ユーザが通信部１１０にＳＤＩ方式に対応するケーブル３００を接続すると、制御部１０６は、撮像部１０１から出力される動画データを通信部１１０からレコーダ２００に出力する。ＳＤＩ方式は、動画データ等のビデオ信号を伝送する規格である。本実施例では、このＳＤＩ方式に従い、動画データを圧縮符号化していない状態でレコーダ２００に出力する。レコーダ２００は、ビデオカメラ１００からの動画データを符号化して記録する。
【００２７】
レコーダ２００の構成と基本機能を説明する。通信部２０１は、ＳＤＩ方式に従って、外部からの動画データや各種の情報を受信する。信号処理部２０２は、通信部２０１により得られた動画データに所定の処理を施すと共に、ＭＰＥＧ方式に従って符号化する。また、信号処理部２０２は、再生時には、再生された動画データを復号する。表示制御部２０３は、記録時には通信部２０１により得られた動画データに係る画像を表示部２０４に表示し、再生時には再生された動画データに係る画像を表示する。また、表示制御部２０３は、メニュー画面等の各種の情報を表示部２０４に表示する。
【００２８】
メモリ２０５は、通信部２０１により得られた動画データ及び符号化された動画データを記憶する。また、メモリ２０５は、記録媒体２０９における管理情報等の情報も記憶する。制御部２０６はマイクロコンピュータを有し、プログラムに従ってレコーダ２００の各部を制御する。操作部２０７は、電源スイッチ、撮影開始／停止の指示スイッチ、撮影モードと再生モードを切り替えるためのモードスイッチ、及びメニュー画面を操作するためのスイッチ等を備える。制御部２０６は、操作部２０７からの指示に応じて各部を制御する。
【００２９】
記録媒体制御部２０８は、記録媒体２０９に動画データを記録し、また、記録媒体２０９から動画データを再生する。記録媒体２０９は、フラッシュメモリ又はハードディスク（ＨＤＤ）等のランダムアクセスの記録媒体である。本実施例では、記録媒体２０９は、レコーダ２００に内蔵されるが、不図示の装着排出機構により交換可能であってもよい。データバス２１０は、各部の間でデータやコマンドを送受信する。
【００３０】
レコーダ２００において、ユーザが操作部２０７を操作して記録開始を指示すると、制御部２０６は各部を制御して、通信部２０１からの動画データを記録媒体２０９に記録し、記録停止が指示されると、記録を停止する。
【００３１】
ユーザが操作部２０７を操作して連動記録モードに設定すると、制御部２０６は、通信部２０１がビデオカメラ１００から受信した記録開始／停止のコマンドに従い、動画データの記録の開始と停止を制御する。
【００３２】
連動記録モードを説明する。通信部１１０にレコーダ２００を接続した状態で、ユーザが操作部１０７によりビデオカメラ１００に連動記録モードを設定する。ビデオカメラ１００の制御部１０６は、連動記録モードでは、操作部１０７からの記録開始の指示を待つ。記録開始の指示があると、制御部１０６は、前述のように各部を制御して、記録媒体１０９への動画データの記録を開始する。また、制御部１０６は、記録開始の指示に応じて、記録開始コマンドをレコーダ２００に出力するように通信部１１０を制御する。更に、制御部１０６は、記録開始の指示に応じて、タイムコード生成部１１１により生成されたタイムコードを、通信部１１０から出力される動画データの各フレームに付加して出力させる。
【００３３】
レコーダ２００では、通信部２０１は、記録開始コマンドを受信すると、制御部２０６に転送する。制御部２０６は、記録開始コマンドに応じて、通信部２０１からの動画データの符号化を開始し、記録媒体２０９への記録を開始する。通信部２０１は、記録開始コマンドの後、動画データに付加されたタイムコードを検出して制御部２０６に送る。制御部２０６は、符号化された動画データの各フレームに、通信部２０１からのタイムコードを付加する。タイムコードを付加された符号化動画データは、記録媒体２０９に記録される。
【００３４】
記録停止の指示があると、制御部１０６は、記録媒体１０９への動画データの記録を停止する。また、制御部１０６は、記録停止の指示に応じて、記録停止コマンドをレコーダ２００に出力するように、通信部１１０を制御する。制御部１０６は、記録停止の指示に応じて、タイムコード生成部１１１により生成されるタイムコードの出力を停止させる。
【００３５】
レコーダ２００では、通信部２０１が記録停止コマンドを受信し、制御部２０６に転送する。制御部２０６は、記録停止コマンドに応じて、通信部２０１からの動画データの符号化を停止し、記録媒体２０９への動画データの記録を停止する。
【００３６】
この様に、連動記録モードでは、ビデオカメラ１００への記録開始／停止の指示に連動して、外部のレコーダ２００も動画データの記録を開始／停止する。
【００３７】
ビデオカメラ１００のインターバル記録モードを説明する。インターバル記録モードにおいては、所定の停止期間おきに、ｎフレーム（ｎは１以上の整数）の動画データを繰り返し記録する。例えば、停止期間を１分、記録フレーム数を３０フレームとすると、撮像部１０１からの動画データを３０フレーム記録した後、記録を停止する。その後、１分間経過すると、再び、動画データの記録を開始して、３０フレームの動画を記録し、記録を停止する。この様に、インターバル記録モードでは、ユーザによるインターバル記録開始の指示から停止の指示までの間、記録と記録停止とを自動的に繰り返す。ユーザが操作部１０７を操作することにより、インターバル記録モードにおける記録フレーム数ｎと停止期間Ｔとを任意に設定できる。
【００３８】
本実施例では、インターバル記録モードを設定した状態でレコーダ２００をビデオカメラ１００に接続して、連動記録モードで動作させることが可能である。インターバル記録モードにおいて連動記録モードで動作させると、インターバル記録モードにおけるｎフレームの動画の記録開始／停止に応じて、レコーダ２００の記録開始／停止を制御できるようにした。これをインターバル連動モードと呼ぶ。また、インターバル記録モードでも、ユーザによるインターバル記録の開始の指示／停止の指示に応じてレコーダ２００の記録の開始／停止を制御させることもできる。これを連続モードと呼ぶ。連続モードでは、ビデオカメラ１００においては停止期間Ｔおきにｎフレームの動画を記録するが、ｎフレームの動画の記録開始／停止時には、ビデオカメラ１００からレコーダ２００に対しては記録の開始／停止コマンドを出力しない。その結果、レコーダ２００においては、ビデオカメラ１００におけるｎフレームの動画の記録開始／停止に連動せずに、動画を記録する。
【００３９】
ユーザは、操作部１０７でインターバル連動モードと連続モードの何れか一方を選択できる。制御部１０６は、ユーザにより設定されたインターバル連動モード又は連続モードの情報をメモリ１０５に記憶する。
【００４０】
図２は、インターバル記録モードにおけるビデオカメラ１００の処理を示すフローチャートである。図２に示す処理は、制御部１０６が各部を制御することにより実行される。インターバル記録モードが設定されて、操作部１０７より記録開始の指示があると、制御部１０６は、インターバル連動モードと連続モードの何れが設定されているかを検出する（Ｓ２０１）。インターバル連動モードが設定されていた場合（Ｓ２０１）、インターバル連動モード処理を実行する（Ｓ２０２）。連続モードが設定されていた場合（Ｓ２０１）、連続モードの処理を実行する（Ｓ２０３）。
【００４１】
図３は、インターバル連動モード処理（Ｓ２０２）の詳細なフローチャートである。
【００４２】
インターバル連動モードにおいて、記録開始の指示があると、制御部１０６は通信部１１０によりレコーダ２００に記録開始コマンドを出力させる（Ｓ３０１）。そして、前記の様に動画データの記録を開始する（Ｓ３０２）。次に、制御部１０６は、通信部１１０により、動画データに対してタイムコード生成部１１１により生成されたタイムコードを付加して出力させる（Ｓ３０３）。
【００４３】
タイムコード生成部１１１は、記録媒体１０９に記録する動画データに付加するタイムコードとは別に、レコーダ２００に出力するタイムコードをカウントする。以下、記録媒体１０９に記録する動画データに付加するタイムコードをタイムコードＡとし、レコーダ２００に出力するタイムコードをタイムコードＢとする。インターバル連動モードでは、記録媒体１０９への動画データの記録開始に応じてタイムコードＡ，Ｂを共にカウントアップし、記録停止に応じてタイムコードＡ，Ｂのカウントを共に停止する。そのため、インターバル連動モードでは、タイムコードＡとＢの値は同じ値である。
【００４４】
１フレームの動画データの符号化と記録が終了すると、タイムコード生成部１１１は、タイムコードＡ，Ｂをそれぞれカウントアップする（Ｓ３０４）。そして、制御部１０６は、ｎフレームの動画データを記録したかどうかを判別する（Ｓ３０５）。ｎフレームの動画データの記録が完了していない場合（Ｓ３０５）、制御部１０６は、更に、操作部１０７より記録停止の指示があったかどうかを判別する（Ｓ３０６）。記録停止の指示がない場合（Ｓ３０６）、Ｓ３０２に戻って処理を続ける。
【００４５】
操作部１０７より記録停止の指示があると（Ｓ３０６）、制御部１０６は、タイムコード生成部１１１によりその時点で生成されているタイムコードＡ（またはＢ）の値をメモリ１０５に記憶する（Ｓ３０７）。そして、記録媒体１０９に対する動画データの記録を停止する（Ｓ３０８）。制御部１０６は、通信部１１０からレコーダ２００に記録停止コマンドを出力させ（Ｓ３０９）、通信部１１０によるタイムコードの出力を停止させる（Ｓ３１０）。
【００４６】
ｎフレームの動画データを記録していた場合（Ｓ３０５）、その時点でタイムコード生成部１１１により生成されているタイムコードＡ（またはＢ）の値をメモリ１０５に記憶する（Ｓ３１１）。そして、記録媒体１０９への動画データの記録を停止する（Ｓ３１２）。制御部１０６は、通信部からレコーダ２００に記録停止コマンドを出力させ（Ｓ３１３）、通信部１１０によるタイムコードの出力を停止させる（Ｓ３１４）。更に、制御部１０６は、内蔵タイマの値を参照し、動画データの記録停止（Ｓ３１２）から停止期間Ｔが経過したかどうかを判別する（Ｓ３１５）。停止期間Ｔが経過していない場合（Ｓ３１５）、操作部１０７から記録停止の指示があったかどうかを判別し（Ｓ３１６）、記録停止の指示があると、処理を終了する。また、記録停止の指示が無い場合（Ｓ３１６）、Ｓ３１５に戻り、停止期間Ｔが経過するのを待つ。停止期間Ｔが経過すると（Ｓ３１５）、Ｓ３０１に戻り、再びｎフレームの動画データの記録を繰り返す。
【００４７】
図４は、連続モード処理（Ｓ２０３）の詳細なフローチャートである。連続モードで記録開始の指示があると、制御部１０６は、通信部１１０からレコーダ２００に記録開始コマンドを出力させる（Ｓ４０１）。そして、前記の様に動画データの記録を開始する（Ｓ４０２）。制御部１０６は、通信部１１０により、タイムコード生成部１１１により生成されたタイムコードＢを動画データに付加して出力させる（Ｓ４０３）。
【００４８】
１フレームの動画データの符号化と記録が終了すると、タイムコードＡ，Ｂをそれぞれカウントアップする（Ｓ４０４）。そして、ｎフレームの動画データを記録したかどうかを判別する（Ｓ４０５）。ｎフレームの動画データの記録が完了していない場合（Ｓ４０５）、制御部１０６は、操作部１０７より記録停止の指示があったかどうかを判別する（Ｓ４０６）。記録停止の指示がない場合（Ｓ４０６）、Ｓ４０２に戻って処理を続ける。
【００４９】
操作部１０７より記録停止の指示があると（Ｓ４０６）、制御部１０６は、タイムコード生成部１１１によりその時点で生成されているタイムコードＡ，Ｂの値をメモリ１０５に記憶する（Ｓ４０７）。記録媒体１０９への動画データの記録を停止する（Ｓ４０８）。制御部１０６は、通信部１１０からレコーダ２００に記録停止コマンドを出力させ（Ｓ４０９）、通信部１１０によるタイムコードの出力を停止させる（Ｓ４１０）。
【００５０】
ｎフレームの動画データを記録していた場合（Ｓ４０５）、制御部１０６は、その時点でタイムコード生成部１１１により生成されているタイムコードＡの値をメモリ１０５に記憶する（Ｓ４１１）。記録媒体１０９に対する動画データの記録を停止する（Ｓ４１２）。制御部１０６は、通信部１１０により、タイムコード生成部１１１により生成されたタイムコードＢを動画データに付加して出力させ（Ｓ４１３）、タイムコードＢをカウントアップする（Ｓ４１４）。
【００５１】
制御部１０６は、内蔵タイマを参照し、動画データの記録停止（Ｓ４１２）から停止期間Ｔが経過したかどうかを判別する（Ｓ４１５）。停止期間Ｔが経過していない場合（Ｓ４１５）、制御部１０６は、操作部１０７から記録停止の指示があったかどうかを判別する（Ｓ４１６）。記録停止の指示があると（Ｓ４１６）、制御部１０６は、その時点で生成されているタイムコードＢの値をメモリ１０５に記憶し、ステップＳ４０９に移行する（Ｓ４１７）。記録停止の指示が無い場合（Ｓ４１６）、Ｓ４１３に戻り、停止期間Ｔの経過を待つ。停止期間Ｔが経過していた場合（Ｓ４１５）、ステップＳ４０１に戻り、再び、ｎフレームの動画データの記録を繰り返す。
【００５２】
連動モードで動画を記録した後、再び連動モードで動画の記録を開始する場合、タイムコード生成部１１１は、タイムコードＡ，ＢをＳ４０７、Ｓ４１１又はＳ４１７で記憶した値からカウントアップする。連動モードで動画を記録した後、別の記録モードで記録する場合、タイムコード生成部１１１は、Ｓ４０７又はＳ４１１で記憶した値からタイムコードＡをカウントアップする。
【００５３】
図５（ａ）は、インターバル連動モードにおけるビデオカメラ１００とレコーダ２００の動作関係を示す。５０１がビデオカメラ１００の動作状態を示し、５０２がレコーダ２００の動作状態を示す。図５（ａ）に示す様に、インターバル記録を開始した後、ｎフレームの動画データの記録開始／停止する度に、記録開始コマンドと記録停止コマンドをレコーダ２００に出力する。レコーダ２００は、ｎフレームの動画データの記録開始／停止に応じて動画データの記録を開始／停止する。
【００５４】
図５（ｂ）は、インターバル連動モードにおけるビデオカメラ１００とレコーダ２００の動作関係を示す。５０３がビデオカメラ１００の動作状態を示し、５０４がレコーダ２００の動作状態を示す。図５（ｂ）に示す様に、インターバル記録開始後、記録停止の指示があるまでは、記録開始コマンドと記録停止コマンドをレコーダ２００には出力しない。レコーダ２００は、記録開始コマンドで動画データの記録開始した後、記録停止コマンドを受けるまで、動画データの記録を続ける。
【００５５】
図６は、インターバル連動モードと連続モードでビデオカメラ１００とレコーダ２００の動画記録の関係を示す。図６では、インターバル記録モードにおける記録フレーム数ｎを３０、記録停止期間Ｔを１秒としている。
【００５６】
図６（ａ）は、インターバル連動モードにおけるビデオカメラ１００とレコーダ２００の動画記録の関係を示す。６０１が、ビデオカメラ１００で記録される動画データと、動画データの記録開始／停止時のフレームに付加されたタイムコードを示す。６０１は、ビデオカメラ１００で記録される動画データと、動画データの記録開始／停止時のフレームに付加されるタイムコードを示す。６０２はレコーダ２００で記録される動画データと、動画データの記録開始／停止時のフレームに付加されたタイムコードを示す。図６（ａ）に示す様に、インターバル連動モードでは、ビデオカメラ１００とレコーダ２００は、同じ期間の動画データを記録し、それぞれに同じタイムコードが付加される。
【００５７】
図６（ｂ）は、連続モードにおけるビデオカメラ１００とレコーダ２００の動画記録の関係を示す。６０３がビデオカメラ１００で記録される動画データと、動画データの記録開始／停止時のフレームに付加されたタイムコードを示す。６０４はレコーダ２００で記録される動画データと、動画データの記録開始／停止時のフレームに付加されたタイムコードを示す。図６（ｂ）に示す様に、連続モードでは、ビデオカメラ１００は、１秒おきに３０フレームの動画を記録する。他方、レコーダ２００は、インターバル記録の開始から停止まで動画データを記録し続ける。そのため、レコーダ２００により記録される動画データに付加されたタイムコードは、ビデオカメラのそれとは異なる。
【００５８】
この様に、本実施例では、ビデオカメラ１００によるインターバル記録モードにおいて、動画データの記録開始／停止に応じて、記録開始／停止コマンドを自動的に外部のレコーダ２００に出力する。レコーダ２００は、ビデオカメラ１００において記録される動画と同じ動画を記録することができる。
【００５９】
インターバル記録モードにおいて、ビデオカメラ１００は、動画データにタイムコードを付加してレコーダ２００に供給する。これにより、レコーダ２００は、ビデオカメラ１００で記録される動画と同じタイムコード付きで動画を記録できる。
【００６０】
インターバル連動モード（図３）では、ビデオカメラ１００における動画データの記録開始／停止に連動して、レコーダ２００が動画の記録を開始／停止する。記録停止期間には、撮像部１０１による撮影（動画データの出力）を停止し、通信部１１０からの動画データの出力を停止してもよい。例えば、記録停止期間が数十分など、比較的長い場合、記録停止期間において撮像部１０１の動作を停止することは、電力消費の削減につながる。
【００６１】
連続モード（図４）では、ビデオカメラ１００における記録停止期間中もレコーダ２００が動画の記録を続けるので、記録停止期間でも、撮像部１０１による撮影を続ける。
【００６２】
本実施例では、通信部１１０がＳＤＩ方式で動画データ、各種のコマンド及びタイムコードを出力したが、これ以外の送信方式を用いることも可能である。
【図１】
2011244293.tif 000003
【図２】
2011244293.tif 000004
【図３】
2011244293.tif 000005
【図４】
2011244293.tif 000006
【図５】
2011244293.tif 000007
【図６】
2011244293.tif 000008